【手続補正書】
【提出日】平成16年2月18日(2004.2.18)
【手続補正１】
【補正対象書類名】明細書
【補正対象項目名】特許請求の範囲
【補正方法】変更
【補正の内容】
【特許請求の範囲】
【請求項１】
データ供給装置の保持するデータを、後に参照可能な状態で保存するデータ固定化システムにおいて、
データの名前を指定したデータ取得要求に応じてデータを取得し、取得したデータの名前、取得したデータの内容、及びデータを取得した時刻を示すデータ取得時刻情報を関連付け、履歴情報として保持するとともに、前記データ取得要求の出力元に対してデータ取得完了通知を返し、データの名前、固定化開始時刻情報、及び固定化終了時刻情報とを含む履歴情報取得要求が入力されると、前記履歴情報取得要求で示された情報との間でデータの名前が一致し、固定化開始時刻情報の示す時刻以後、固定化終了時刻情報の示す時刻以前の時刻を示すデータ取得時刻情報が登録された履歴情報を抽出し、抽出した履歴情報に含まれるデータの内容を前記履歴情報取得要求の出力元に送信するデータ中継装置と、
前記データ供給装置内のデータの名前を指定したデータ固定化要求を出力するデータ固定化要求出力手段と、データの名前を指定した固定化情報取得要求を出力し、前記固定化情報取得要求に応じて返された固定化開始時刻情報と固定化終了時刻情報とに、前記固定化情報取得要求で指定したデータの名前を含めた前記履歴情報取得要求を前記データ中継装置に出力する固定化データ取得手段と、を具備する情報端末装置と、
データの名前、固定化開始時刻情報、及び固定化終了時刻情報を関連付けて、固定化情報として保持する固定化情報保持手段と、前記情報端末装置が出力した前記データ固定化要求を受け取り、前記データ固定化要求で指定された名前を指定した前記データ取得要求を前記データ中継装置に出力し、前記データ中継装置から前記データ取得完了通知を受け取ると、前記データ固定化要求で指定された名前、前記データ取得要求を出力した時刻を示す固定化開始時刻情報、及び前記データ取得完了通知を受け取った時刻を示す固定化終了時刻情報を関連付けて前記固定化情報保持手段に格納する固定化処理制御手段と、前記情報端末装置が出力した前記固定化情報取得要求を受け取り、前記固定化情報取得要求で指定された名前に対応する固定化情報を前記固定化情報保持手段より抽出し、抽出した固定化情報に含まれる固定化開始時刻情報と固定化終了時刻情報とを前記情報端末装置に送信する固定化情報提供手段と、を具備するデータ固定化装置と、
を有することを特徴とするデータ固定化システム。
【請求項２】
データ取得要求に応じて取得したデータ、データの名前、及びデータを取得した時刻を示すデータ取得時刻情報を関連付けて履歴情報として保持するとともに、データを取得した際には、前記データ取得要求の出力元に対してデータ取得完了通知を返すデータ中継装置に接続して使用されるデータ固定化装置において、
データの名前、固定化開始時刻情報、及び固定化終了時刻情報を関連付けて、固定化情報として保持する固定化情報保持手段と、
データの名前を指定したデータ固定化要求が入力されると、前記データ固定化要求で指定された名前を指定した前記データ取得要求を前記データ中継装置に出力し、前記データ中継装置から前記データ取得完了通知を受け取ると、前記データ固定化要求で指定された名前、前記データ取得要求を出力した時刻を示す固定化開始時刻情報、及び前記データ取得完了通知を受け取った時刻を示す固定化終了時刻情報を関連付けて前記固定化情報保持手段に格納する固定化処理制御手段と、
データの名前を指定した固定化情報取得要求が入力されると、前記固定化情報取得要求で指定された名前に対応する固定化情報を前記固定化情報保持手段より抽出し、抽出した固定化情報に含まれる固定化開始時刻情報と固定化終了時刻情報とを前記固定化情報取得要求の出力元へ送信する固定化情報提供手段と、
を有することを特徴とするデータ固定化装置。
【請求項３】
入力されたデータの内容を解析し、同時に表示すべきインライン表示データの名前を抽出する情報解析手段をさらに有し、
前記固定化処理制御手段は、前記データ固定化要求が入力されると、データの内容を中継すべき旨の指令を含めた前記データ取得要求を前記データ中継装置に出力し、前記データ中継装置から返されたデータの内容を前記情報解析手段に入力し、前記情報解析手段が抽出した前記インライン表示データの名前を指定した前記データ取得要求を前記データ中継装置に出力し、すべての前記データ取得要求に対する前記データ取得完了通知を受け取ると、前記データ固定化要求で指定された名前、前記データ取得要求を最初に出力した時刻を示す固定化開始時刻情報、及び最後の前記データ取得完了通知を受け取った時刻を示す固定化終了時刻情報を関連付けて前記固定化情報保持手段に格納する、
ことを特徴とする請求項２記載のデータ固定化装置。
【請求項４】
前記固定化処理制御手段は、前記データ固定化要求にデータに関連付けるべき別名が含まれていた場合には、固定化情報の中に別名を含めて前記固定化情報保持手段に格納し、
前記固定化情報提供手段は、前記固定化情報取得要求に別名が含まれていた場合には、前記固定化情報保持手段が保持する別名に対応するデータの名前、固定化開始時刻、固定化終了時刻を検索し、該当する固定化情報を返す、
ことを特徴とする請求項２記載のデータ固定化装置。
【請求項５】
データ取得要求に応じて取得したデータ、データの名前、及びデータを取得した時刻を示すデータ取得時刻情報を関連付けて履歴情報として保持するとともに、データを取得した際には、前記データ取得要求の出力元に対してデータ取得完了通知を返すデータ中継装置に接続して使用されるデータ固定化装置において、
データの名前、固定化開始時刻情報、及び固定化終了時刻情報を関連付けて、固定化情報として保持する固定化情報保持手段と、
データの名前を指定したデータ固定化要求が入力されると、前記データ固定化要求で指定された名前を指定した前記データ取得要求を前記データ中継装置に出力し、前記データ中継装置から前記データ取得完了通知を受け取ると、前記データ固定化要求で指定された名前、前記データ取得要求を出力した時刻を示す固定化開始時刻情報、及び前記データ取得完了通知を受け取った時刻を示す固定化終了時刻情報を関連付けて前記固定化情報保持手段に格納する固定化処理制御手段と、
データの名前を指定した固定化情報取得要求が入力されると、前記固定化情報取得要求で指定された名前に対応する固定化情報を前記固定化情報保持手段より抽出し、抽出した固定化情報に含まれるデータの名前、固定化開始時刻情報、及び固定化終了時刻情報を指定した履歴情報の取得要求を前記データ中継装置に送信し、前記データ中継装置から返されたデータの内容を前記固定化情報取得要求の出力元へ送信する固定化情報提供手段と、
を有することを特徴とするデータ固定化装置。
【請求項６】
前記固定化情報提供手段は、取得すべきデータの名前と、取得すべきデータが関連付けられている他のデータの名前とが指定された前記固定化情報取得要求を受け取ると、他のデータの名前に対応する固定化情報を前記固定化情報保持手段より抽出し、取得すべきデータの名前と、抽出した固定化情報に含まれる固定化開始時刻情報及び固定化終了時刻情報とを指定した履歴情報の取得要求を前記データ中継装置に送信し、前記データ中継装置から返されたデータの内容を前記固定化情報取得要求の出力元へ送信することを特徴とする請求項５記載のデータ固定化装置。
【請求項７】
データ供給装置が保持するデータを他の装置へ中継するデータ中継装置において、
取得したデータの履歴情報を保持する履歴保持手段と、
データ取得要求を受け取ると、前記データ取得要求が外部データの取得要求か履歴情報の取得要求かを解析し、前記データ取得要求が外部データの取得要求の場合には、前記データ取得要求からデータの名前を抽出し、前記データ取得要求が履歴情報の取得要求の場合には、前記データ取得要求からデータの名前、固定化開始時刻情報、及び固定化終了時刻情報を抽出する要求解析手段と、
前記データ取得要求が外部データの取得要求の場合には、前記要求解析手段が抽出したデータの名前に該当するデータを前記データ供給装置に要求し、要求に応じて前記データ供給装置から送られてきたデータを受け取るデータ要求手段と、
前記データ取得要求が外部データの取得要求の場合には、前記データ要求手段が受け取ったデータ、データの名前、及びデータを取得した時刻を示すデータ取得時刻情報を関連付けて履歴情報として前記履歴保持手段に格納するとともに、データの取得が完了した旨を示すメッセージを出力データとし、前記データ取得要求が履歴情報の取得要求の場合には、前記要求解析手段が抽出したデータの名前と一致するデータの名前であり、且つ固定化開始時刻情報が示す時刻以後、固定化終了時刻情報が示す時刻以前のデータ取得時刻情報が登録された履歴情報を前記履歴保持手段から抽出し、抽出した履歴情報に含まれるデータを出力データとする履歴管理手段と、
前記データ取得要求の出力元に対し、前記履歴管理手段が特定した出力データを出力する出力手段と、
を有することを特徴とするデータ中継装置。
【請求項８】
前記履歴管理手段は、前記データ取得要求が外部データの取得要求の場合には、前記データ要求手段が受け取ったデータを出力データとすることをもって、データの取得が完了した旨のメッセージとすることを特徴とする請求項７記載のデータ中継装置。
【請求項９】
前記要求解析手段は、前記データ取得要求が外部データの取得要求であった場合において、データの中継が要求されているか否かを判断し、
前記履歴管理手段は、前記データ取得要求においてデータの中継が要求されている場合には、前記データ要求手段が受け取ったデータを出力データとすることをもってデータの取得が完了した旨のメッセージとし、前記データ取得要求においてデータの中継が要求されていない場合には、データの取得が完了したことのみを示すメッセージを出力データとする、
ことを特徴とする請求項７記載のデータ中継装置。
【請求項１０】
データ供給装置が保持するデータをデータ中継装置経由で受け取る情報端末装置において、
前記データ供給装置内のデータの名前を指定したデータ固定化要求を出力するデータ固定化要求出力手段と、
データの名前を指定した固定化情報取得要求を出力し、前記固定化情報取得要求に応じて返された固定化開始時刻情報と固定化終了時刻情報とに、前記固定化情報取得要求で指定したデータの名前を含めた履歴情報取得要求を前記データ中継装置に出力する固定化データ取得手段と、
を有することを特徴とする情報端末装置。
【請求項１１】
データ供給装置が保持するデータをデータ中継装置経由で受け取る情報端末装置において、前記データ供給装置内のデータの名前と、固定化したデータに関連付ける別名とを指定したデータ固定化要求を出力するデータ固定化要求出力手段と、
固定化したデータに関連付けた別名を指定した固定化情報取得要求を出力し、前記固定化情報取得要求に応じて返されたデータの名前と、固定化開始時刻情報と、固定化終了時刻情報とを含めた履歴情報取得要求を前記データ中継装置に出力する固定化データ取得手段と、
を有することを特徴とする情報端末装置。
【請求項１２】
データ取得要求に応じて取得したデータ、データの名前、及びデータを取得した時刻を示すデータ取得時刻情報を関連付けて履歴情報として保持するとともに、データを取得した際には、前記データ取得要求の出力元に対してデータ取得完了通知を返すデータ中継装置に接続されたコンピュータで使用されるデータ固定化プログラムを記録したコンピュータ読み取り可能な記録媒体において、
データの名前、固定化開始時刻情報、及び固定化終了時刻情報を関連付けて、固定化情報として保持する固定化情報保持手段、
データの名前を指定したデータ固定化要求が入力されると、前記データ固定化要求で指定された名前を指定した前記データ取得要求を前記データ中継装置に出力し、前記データ中継装置から前記データ取得完了通知を受け取ると、前記データ固定化要求で指定された名前、前記データ取得要求を出力した時刻を示す固定化開始時刻情報、及び前記データ取得完了通知を受け取った時刻を示す固定化終了時刻情報を関連付けて前記固定化情報保持手段に格納する固定化処理制御手段、
データの名前を指定した固定化情報取得要求が入力されると、前記固定化情報取得要求で指定された名前に対応する固定化情報を前記固定化情報保持手段より抽出し、抽出した固定化情報に含まれる固定化開始時刻情報と固定化終了時刻情報とを前記固定化情報取得要求の出力元へ送信する固定化情報提供手段、
としてコンピュータを機能させることを特徴とするデータ固定化プログラムを記録したコンピュータ読み取り可能な記録媒体。
【請求項１３】
データ取得要求に応じて取得したデータ、データの名前、及びデータを取得した時刻を示すデータ取得時刻情報を関連付けて履歴情報として保持するとともに、データを取得した際には、前記データ取得要求の出力元に対してデータ取得完了通知を返すデータ中継装置に接続されたコンピュータで使用されるデータ固定化プログラムを記録したコンピュータ読み取り可能な記録媒体において、
データの名前、固定化開始時刻情報、及び固定化終了時刻情報を関連付けて、固定化情報として保持する固定化情報保持手段、
データの名前を指定したデータ固定化要求が入力されると、前記データ固定化要求で指定された名前を指定した前記データ取得要求を前記データ中継装置に出力し、前記データ中継装置から前記データ取得完了通知を受け取ると、前記データ固定化要求で指定された名前、前記データ取得要求を出力した時刻を示す固定化開始時刻情報、及び前記データ取得完了通知を受け取った時刻を示す固定化終了時刻情報を関連付けて前記固定化情報保持手段に格納する固定化処理制御手段、
データの名前を指定した固定化情報取得要求が入力されると、前記固定化情報取得要求で指定された名前に対応する固定化情報を前記固定化情報保持手段より抽出し、抽出した固定化情報に含まれるデータの名前、固定化開始時刻情報、及び固定化終了時刻情報を指定した履歴情報の取得要求を前記データ中継装置に送信し、前記データ中継装置から返されたデータの内容を前記固定化情報取得要求の出力元へ送信する固定化情報提供手段、
としてコンピュータを機能させることを特徴とするデータ固定化プログラムを記録したコンピュータ読み取り可能な記録媒体。
【請求項１４】
データ取得要求に応じて取得したデータ、データの名前、及びデータを取得した時刻を示すデータ取得時刻情報を関連付けて履歴情報として保持するとともに、データを取得した際には、前記データ取得要求の出力元に対してデータ取得完了通知を返すデータ中継装置に接続されたコンピュータで使用されるデータ固定化プログラムを記録したコンピュータ読み取り可能な記録媒体において、
データの名前、固定化開始時刻情報、及び固定化終了時刻情報を関連付けて、固定化情報として保持する固定化情報保持手段、
データの名前を指定したデータ固定化要求が入力されると、前記データ固定化要求で指定された名前を指定した前記データ取得要求を前記データ中継装置に出力し、前記データ中継装置から前記データ取得完了通知を受け取ると、前記データ固定化要求で指定された名前、前記データ取得要求を出力した時刻を示す固定化開始時刻情報、及び前記データ取得完了通知を受け取った時刻を示す固定化終了時刻情報を関連付けて前記固定化情報保持手段に格納する固定化処理制御手段、
データの名前を指定した固定化情報取得要求が入力されると、前記固定化情報取得要求で指定された名前に対応する固定化情報を前記固定化情報保持手段より抽出し、抽出した固定化情報に含まれるデータの名前、固定化開始時刻情報、及び固定化終了時刻情報を指定した履歴情報の取得要求を前記データ中継装置に送信し、前記データ中継装置から返されたデータの内容を前記履歴情報取得要求の出力元へ送信する固定化情報提供手段、
としてコンピュータを機能させることを特徴とするデータ固定化プログラムを記録したコンピュータ読み取り可能な記録媒体。
【請求項１５】
データ供給装置が保持するデータを他の装置へ中継するためのデータ中継プログラムを記録したコンピュータ読み取り可能な記録媒体において、
取得したデータの履歴情報を保持する履歴保持手段、
データ取得要求を受け取ると、前記データ取得要求が外部データの取得要求か履歴情報の取得要求かを解析し、前記データ取得要求が外部データの取得要求の場合には、前記データ取得要求からデータの名前を抽出し、前記データ取得要求が履歴情報の取得要求の場合には、前記データ取得要求からデータの名前、固定化開始時刻情報、及び固定化終了時刻情報を抽出する要求解析手段、
前記データ取得要求が外部データの取得要求の場合には、前記要求解析手段が抽出したデータの名前に該当するデータを前記データ供給装置に要求し、要求に応じて前記データ供給装置から送られてきたデータを受け取るデータ要求手段、
前記データ取得要求が外部データの取得要求の場合には、前記データ要求手段が受け取ったデータ、データの名前、及びデータを取得した時刻を示すデータ取得時刻情報を関連付けて履歴情報として前記履歴保持手段に格納するとともに、データの取得が完了した旨を示すメッセージを出力データとし、前記データ取得要求が履歴情報の取得要求の場合には、前記要求解析手段が抽出したデータの名前と一致するデータの名前であり、且つ固定化開始時刻情報が示す時刻以後、固定化終了時刻情報が示す時刻以前のデータ取得時刻情報が登録された履歴情報を前記履歴保持手段から抽出し、抽出した履歴情報に含まれるデータを出力データとする履歴管理手段、
前記データ取得要求の出力元に対し、前記履歴管理手段が特定した出力データを出力する出力手段、
としてコンピュータを機能させることを特徴とするデータ中継プログラムを記録したコンピュータ読み取り可能な記録媒体。
【請求項１６】
データ供給装置が保持するデータをデータ中継装置経由で受け取るための情報端末用プログラムを記録したコンピュータ読み取り可能な記録媒体において、
前記データ供給装置内のデータの名前を指定したデータ固定化要求を出力するデータ固定化要求出力手段、
データの名前を指定した固定化情報取得要求を出力し、前記固定化情報取得要求に応じて返された固定化開始時刻情報と固定化終了時刻情報とに、固定化データ取得要求で指定したデータの名前を含めた履歴情報取得要求を前記データ中継装置に出力する固定化データ取得手段、
としてコンピュータを機能させることを特徴とする情報端末用プログラムを記録したコンピュータ読み取り可能な記録媒体。
【請求項１７】
データ供給装置が保持するデータをデータ中継装置経由で受け取るための情報端末用プログラムを記録したコンピュータ読み取り可能な記録媒体において、
前記データ供給装置内のデータの名前と、固定化したデータに関連付ける別名とを指定したデータ固定化要求を出力するデータ固定化要求出力手段、
固定化したデータに関連付けた別名を指定した固定化情報取得要求を出力し、前記固定化情報取得要求に応じて返されたデータの名前と、固定化開始時刻情報と、固定化終了時刻情報とを含めた履歴情報取得要求を前記データ中継装置に出力する固定化データ取得手段、
としてコンピュータを機能させることを特徴とする情報端末用プログラムを記録したコンピュータ読み取り可能な記録媒体。
【請求項１８】
データ取得要求に応じて取得したデータ、データの名前、及びデータを取得した時刻を示すデータ取得時刻情報を関連付けて履歴情報として保持するとともに、データを取得した際には、前記データ取得要求の出力元に対してデータ取得完了通知を返すデータ中継装置に接続されたコンピュータでのデータ固定化方法において、
固定化情報保持手段が、データの名前、固定化開始時刻情報、及び固定化終了時刻情報を関連付けて、固定化情報として保持し、
固定化処理制御手段が、データの名前を指定したデータ固定化要求が入力されると、前記データ固定化要求で指定された名前を指定した前記データ取得要求を前記データ中継装置に出力し、前記データ中継装置から前記データ取得完了通知を受け取ると、前記データ固定化要求で指定された名前、前記データ取得要求を出力した時刻を示す固定化開始時刻情報、及び前記データ取得完了通知を受け取った時刻を示す固定化終了時刻情報を関連付けて前記固定化情報保持手段に格納し、
固定化情報提供手段が、データの名前を指定した固定化情報取得要求が入力されると、前記固定化情報取得要求で指定された名前に対応する固定化情報を前記固定化情報保持手段より抽出し、抽出した固定化情報に含まれる固定化開始時刻情報と固定化終了時刻情報とを前記固定化情報取得要求の出力元へ送信する、
ことを特徴とするデータ固定化方法。
【請求項１９】
データ取得要求に応じて取得したデータ、データの名前、及びデータを取得した時刻を示すデータ取得時刻情報を関連付けて履歴情報として保持するとともに、データを取得した際には、データ取得要求の出力元に対してデータ取得完了通知を返すデータ中継装置に接続して使用されるコンピュータでのデータ固定化方法において、
固定化情報保持手段が、データの名前、固定化開始時刻情報、及び固定化終了時刻情報を関連付けて、固定化情報として保持し、
固定化処理制御手段が、データの名前を指定したデータ固定化要求が入力されると、前記データ固定化要求で指定された名前を指定したデータ取得要求を前記データ中継装置に出力し、前記データ中継装置からデータ取得完了通知を受け取ると、前記データ固定化要求で指定された名前、前記データ取得要求を出力した時刻を示す固定化開始時刻情報、及び前記データ取得完了通知を受け取った時刻を示す固定化終了時刻情報を関連付けて前記固定化情報保持手段に格納し、
固定化情報提供手段が、データの名前を指定した固定化情報取得要求が入力されると、前記固定化情報取得要求で指定された名前に対応する固定化情報を前記固定化情報保持手段より抽出し、抽出した固定化情報に含まれるデータの名前、固定化開始時刻情報、及び固定化終了時刻情報を指定した履歴情報の取得要求を前記データ中継装置に送信し、前記データ中継装置から返されたデータの内容を前記固定化情報取得要求の出力元へ送信する、
ことを特徴とするデータ固定化装置。
【請求項２０】
データ供給装置が保持するデータを他の装置へ中継するコンピュータでのデータ中継方法において、
履歴保持手段が、取得したデータの履歴情報を保持し、
要求解析手段が、データ取得要求を受け取ると、前記データ取得要求が外部データの取得要求か履歴情報の取得要求かを解析し、前記データ取得要求が外部データの取得要求の場合には、前記データ取得要求からデータの名前を抽出し、前記データ取得要求が履歴情報の取得要求の場合には、前記データ取得要求からデータの名前、固定化開始時刻情報、及び固定化終了時刻情報を抽出し、
データ要求手段が、前記データ取得要求が外部データの取得要求の場合には、前記要求解析手段が抽出したデータの名前に該当するデータを前記データ供給装置に要求し、要求に応じて前記データ供給装置から送られてきたデータを受け取り、
履歴管理手段が、前記データ取得要求が外部データの取得要求の場合には、前記データ要求手段が受け取ったデータ、データの名前、及びデータを取得した時刻を示すデータ取得時刻情報を関連付けて履歴情報として前記履歴保持手段に格納するとともに、データの取得が完了した旨を示すメッセージを出力データとし、前記データ取得要求が履歴情報の取得要求の場合には、前記要求解析手段が抽出したデータの名前と一致するデータの名前であり、且つ固定化開始時刻情報が示す時刻以後、固定化終了時刻情報が示す時刻以前のデータ取得時刻情報が登録された履歴情報を前記履歴保持手段から抽出し、抽出した履歴情報に含まれるデータを出力データとし、
出力手段が、前記データ取得要求の出力元に対し、前記履歴管理手段が特定した出力データを出力する、
ことを特徴とするデータ中継方法。
【請求項２１】
データ供給装置が保持するデータをデータ中継装置経由で受け取る情報端末装置での固定化データ取得方法において、
データ固定化要求出力手段が、前記データ供給装置内のデータの名前を指定したデータ固定化要求を出力し、
固定化データ取得手段が、データの名前を指定した固定化情報取得要求を出力し、前記固定化情報取得要求に応じて返された固定化開始時刻情報と固定化終了時刻情報とに、前記固定化情報取得要求で指定したデータの名前を含めた履歴情報取得要求を前記データ中継装置に出力する、
ことを特徴とする固定化データ取得方法。
【請求項２２】
データ供給装置が保持するデータをデータ中継装置経由で受け取る情報端末装置での固定化データ取得方法において、
データ固定化要求出力手段が、前記データ供給装置内のデータの名前と、固定化したデータに関連付ける別名とを指定したデータ固定化要求を出力し、
固定化データ取得手段が、固定化したデータに関連付けた別名を指定した固定化情報取得要求を出力し、前記固定化情報取得要求に応じて返されたデータの名前と、固定化開始時刻情報と、固定化終了時刻情報とを含めた履歴情報取得要求を前記データ中継装置に出力する、
ことを特徴とする固定化データ取得方法。